(57)【要約】【課題】回動設定自在な複数本の伸縮型ホイップアンテナ素子を用い、到来電波の周波数帯や偏波状態に無関係に到来電波を正確に方向探知でき、構造がコンパクトで可搬可能な方向探知機用アンテナを提供する。【解決手段】一つの平面部１ａを有するアンテナマウント１、平面部１ａをアンテナ立設面とし、アンテナ立設面における１つの円周上に形成した各アンテナ立設点に回動自在に立設した４本の伸縮型ホイップアンテナ素子３ａ〜３ｄを有し、４本の伸縮型ホイップアンテナ素子３ａ〜３ｄは、アンテナ立設面における各アンテナ立設点を中心とし、アンテナ立設面側に形成した１つの円周と直交する開角度１８０°の扇形領域の中の任意の角度位置に回動設定できるものである。【選択図】図１
2007135063.tif 000002
【特許請求の範囲】
【請求項１】
少なくとも一つの平面部を有するアンテナマウントと、前記アンテナマウントの平面部をアンテナ立設面とし、そのアンテナ立設面における１つの円周上に形成した各アンテナ立設点に回動自在に立設した４本以上の伸縮型ホイップアンテナ素子とを有し、前記４本以上の伸縮型ホイップアンテナ素子のそれぞれは、前記アンテナ立設面における各アンテナ立設点を中心とし、前記アンテナ立設面側に形成された前記１つの円周と直交する開角度１８０°の扇形領域の中の任意の角度位置に回動設定できるものであることを特徴とする方向探知機用アンテナ。
【請求項２】
少なくとも一つの平面部を有するアンテナマウントと、前記アンテナマウントの平面部をアンテナ立設面とし、そのアンテナ立設面における１つの円周上に形成した各アンテナ立設点に回動自在に立設した４本以上の伸縮型ホイップアンテナ素子とを有し、前記４本以上の伸縮型ホイップアンテナ素子のそれぞれは、前記アンテナ立設面における各アンテナ立設点を中心とした球面領域における前記アンテナ立設面側に形成された半球領域の中の任意の角度位置に回動設定できるものであることを特徴とする方向探知機用アンテナ。
【請求項３】
上面部及び下面部と、前記上面部側縁と前記下面部側縁とを連結するように形成された側面部を有するアンテナマウントと、前記アンテナマウントの側面部をアンテナ立設面とし、前記アンテナ立設面における同じ高さ位置を結ぶ直線上の複数の等間隔点に形成した各アンテナ立設点に回動自在に立設した複数本の伸縮型ホイップアンテナ素子とを有し、前記複数本の伸縮型ホイップアンテナ素子は、前記アンテナ立設面における各アンテナ立設点を中心とし、前記アンテナ立設面側に形成された前記直線と直交する開角度１８０°の扇形領域の中の任意の角度位置に回動設定できるものであることを特徴とする方向探知機用アンテナ。
【請求項４】
上面部及び下面部と、前記上面部側縁と前記下面部側縁とを連結するように形成された側面部を有するアンテナマウントと、前記アンテナマウントの側面部をアンテナ立設面とし、前記アンテナ立設面における同じ高さ位置を結ぶ直線上の複数の等間隔点に形成した各アンテナ立設点に回動自在に立設した複数本の伸縮型ホイップアンテナ素子とを有し、前記複数本の伸縮型ホイップアンテナ素子は、前記アンテナ立設面の各アンテナ立設点を中心とした球面領域における前記アンテナ立設面側に形成された半球領域の中の任意の角度位置に回動設定できるものであることを特徴とする方向探知機用アンテナ。
【請求項５】
前記アンテナマウントは、上面部及び下面部の形状が略正方形状であり、複数本の伸縮型ホイップアンテナ素子は、アンテナ立設面における当該略正方形状の各辺に当たる位置にそれぞれアンテナ立設点が形成されていることを特徴とする請求項３もしくは４に記載の方向探知機用アンテナ。
【請求項６】
前記アンテナマウントは、上面部及び下面部の形状が略円形状であり、複数本の伸縮型ホイップアンテナ素子は、アンテナ立設面における当該略円形状の円周領域に当たる位置にそれぞれアンテナ立設点が形成されていることを特徴とする請求項３もしくは４に記載の方向探知機用アンテナ。
【請求項７】
前記アンテナマウントは、上面部及び下面部の形状が略正５角形状またそれ以上の正多角形状であり、複数本の伸縮型ホイップアンテナ素子は、アンテナ立設面における当該略正多角形状の各辺に当たる位置にそれぞれアンテナ立設点が形成されていることを特徴とする請求項３もしくは４に記載の方向探知機用アンテナ。
【発明の詳細な説明】
【技術分野】
【０００１】
本発明は、方向探知機用アンテナに係わり、特に、広い周波数範囲の到来電波に応答可能であり、かつ、電波の偏波面に無関係に到来電波の方向を探知できるコンパクト構造で、可搬できる方向探知機用アンテナに関する。
【背景技術】
【０００２】
従来、方向探知機に用いられる方向探知機用アンテナとしては、ループアンテナ系列のものとアドコックアンテナ系列のものとが主として使用されており、それらの系列に属するアンテナには、それぞれ種々の形式のものが知られている。
【０００３】
ところで、ループアンテナは、方向探知機用アンテナとして最初に使用されたアンテナであって、アンテナループ面を電波到来方向に合わせることにより、その感度が最高になるものである。そして、この種のループアンテナは、電波到来方向の正しい方向探知を行うために、補助アンテナとともに使用したり、アンテナループ面を直交状態に配置した２つのループアンテナを使用したりしている。また、ループアンテナは、到来電波の偏波状態によって方向誤差を生じ易く、しかも、アンテナ実効高をあまり高くすることができないため、到来電波の受信時における信号対雑音比を高めようとした場合、ループアンテナのループ形状を大型にする必要があるのに対し、ループアンテナは、コンパクトな構造にすることができるので、車載用アンテナに利用されることが多い。
【０００４】
一方、アドコックアンテナは、到来電波の偏波状態による生じる方向誤差の発生を少なくするために考案されたアンテナであって、垂直ダブレットアンテナやホイップアンテナを用いることによって得ることができる。この場合、垂直ダブレットアンテナやホイップアンテナは、平板状の接地基板の一方の平面部をアンテナ立設面として、そのアンテナ立設面に４本のアンテナ素子を当該アンテナ立設面の正方形の各頂点部分に立設配置したもので、４本のアンテナ素子の中の一方の対角頂点にある１組のアンテナ素子の受信出力を差動合成して取り出すとともに、この受信出力と、他方の対角頂点にある１組のアンテナ素子の受信出力を差動出力して取り出し、得られた２つの受信出力をゴニオメータ等を用いて位相角に変換し、変換した位相角を用いて方位角を表示するようにしている。
【０００５】
この他にも、４本のアンテナ素子からの受信出力をロータリースキャナ式に順次取り出し、取り出した受信出力（到来電波）の到着時間差からドップラーシフトとして検出し、検出出力を位相角に変換し、変換した位相角を用いて方位角を表示するようにしている。これらの方位角の表示は、何れも平板状の接地基板に立設された４本の垂直型アンテナ素子を用い、それらのアンテナ素子からの受信出力を直接的に取り出すか、あるいは相対的な差動出力として取り出すことにより、到来電波の偏波状態による生じる方向誤差を少なくするようにすることができるものである。また、到来電波方向の探知精度を向上させるためには、前述の４本のアンテナ素子（４素子アンテナ）を用いる代わりに、８本のアンテナ素子（８素子アンテナ）、１６本のアンテナ素子（１６素子アンテナ）、・・・等の多数本のアンテナ素子（多素子アンテナ）を用いたものもある。
【０００６】
このような垂直アンテナに使用されるアンテナ素子、例えば、ダブレットアンテナやホイップアンテナは、それらのアンテナ素子の共振特性からそのアンテナ素子で使用できる周波数電波の範囲は可成り限定されたものになっている。そこで、この種のダブレットアンテナやホイップアンテナは、そのアンテナ素子において使用できる周波数電波の範囲を拡げるために、アンテナ素子を太い構造のものにしたり、あるいはアンテナ素子を細長い籠形の構造にしたりし、アンテナ素子の共振特性が広周波数帯域に及ぶような工夫が施されたものもある。
【特許文献１】使用する特許文献なし
【発明の開示】
【発明が解決しようとする課題】
【０００７】
ところで、方向探知機用アンテナにおける現状を見たとき、多くの電波送信局から送信され、方向探知機用アンテナに到来する電波は、それぞれ電波の周波数が異なっているだけでなく、その電波が空中を伝送する際の伝送形態に応じて到来電波の偏波状態が変動しており、しかも、到来電波が方向探知機用アンテナに入射するする際の入射角によってもその偏波状態が若干変動している。
【０００８】
これに対して、前述の既知の方向探知機用アンテナは、電波の周波数の変動や、到来電波の偏波状態の変動や、到来電波の方向探知機用アンテナへの入射角の影響をある程度考慮した構造のものになっているが、多くの送信局から送信され、それぞれ異なる電波周波数を有し、異なる電波伝送形態によって方向探知機用アンテナに到来した電波を常時良好な状態で受信することは難しく、到来電波の正確な方向探知を一様な状態で行うことはできないものであった。
【０００９】
本発明は、このような技術的背景に鑑みてなされたもので、その目的は、到来電波の状態に応じて各アンテナ素子の状態を任意に可変できる構造にし、到来電波の周波数帯や偏波状態に無関係に到来電波を正確に方向探知でき、構造がコンパクトで可搬可能な方向探知機用アンテナを提供することにある。
【課題を解決するための手段】
【００１０】
前記目的を達成するために、本発明に係る方向探知機用アンテナは、少なくとも一つの平面部を有するアンテナマウントと、アンテナマウントの平面部をアンテナ立設面とし、そのアンテナ立設面における１つの円周上に形成した各アンテナ立設点に回動自在に立設した４本以上の伸縮型ホイップアンテナ素子とを有し、４本以上の伸縮型ホイップアンテナ素子のそれぞれは、アンテナ立設面における各アンテナ立設点を中心とし、アンテナ立設面側に形成された１つの円周に直交する開角度１８０°の扇形領域の中の任意の角度位置に回動設定できるものである第１の手段を具備する。
【００１１】
また、前記目的を達成するために、本発明に係る方向探知機用アンテナは、少なくとも一つの平面部を有するアンテナマウントと、アンテナマウントの平面部をアンテナ立設面とし、そのアンテナ立設面における１つの円周上に形成した各アンテナ立設点に回動自在に立設した４本以上の伸縮型ホイップアンテナ素子とを有し、４本以上の伸縮型ホイップアンテナ素子のそれぞれは、アンテナ立設面における各アンテナ立設点を中心とした球面領域におけるアンテナ立設面側に形成された半球領域の中の任意の角度位置に回動設定できるものである第２の手段を具備する。
【００１２】
さらに、前記目的を達成するために、本発明に係る方向探知機用アンテナは、上面部及び下面部と、上面部側縁と下面部側縁とを連結するように形成された側面部を有するアンテナマウントと、アンテナマウントの側面部をアンテナ立設面とし、アンテナ立設面における同じ高さ位置を結ぶ直線上の複数の等間隔点に形成した各アンテナ立設点に回動自在に立設した複数本の伸縮型ホイップアンテナ素子とを有し、複数本の伸縮型ホイップアンテナ素子は、アンテナ立設面における各アンテナ立設点を中心とし、アンテナ立設面側に形成された直線と直交する開角度１８０°の扇形領域の中の任意の角度位置に回動設定できるものであるものである第３の手段を具備する。
【００１３】
また、前記目的を達成するために、本発明に係る方向探知機用アンテナは、上面部及び下面部と、前記上面部側縁と前記下面部側縁とを連結するように形成された側面部を有するアンテナマウントと、前記アンテナマウントの側面部をアンテナ立設面とし、前記アンテナ立設面における同じ高さ位置を結ぶ直線上の複数の等間隔点に形成した各アンテナ立設点に回動自在に立設した複数本の伸縮型ホイップアンテナ素子とを有し、前記複数本の伸縮型ホイップアンテナ素子は、前記アンテナ立設面の各アンテナ立設点を中心とした球面領域における前記アンテナ立設面側に形成された半球領域の中の任意の角度位置に回動設定できるものであるものである第４の手段を具備する。
【発明の効果】
【００１４】
以上述べたように、請求項１に記載の方向探知機用アンテナによれば、アンテナマウントの平面部をアンテナ立設面とし、そのアンテナ立設面上に形成した各アンテナ立設点に回動自在に立設した４本以上の伸縮型ホイップアンテナ素子を設け、４本以上の伸縮型ホイップアンテナ素子のそれぞれを、各アンテナ立設点を中心とし、アンテナ立設面側に形成された１つの円周と直交する開角度１８０°の扇形領域の中の任意の角度位置に回動設定できるような構造にしているので、到来電波の周波数、偏波状態に応じて４本以上の伸縮型ホイップアンテナ素子の傾斜角度及び／またはその長さを任意に可変することにより、到来電波の周波数及び到来電波の偏波面に最適な条件を選択することが可能になり、それによって超短波帯及び極超短波帯の到来電波に対し、到来電波が水平偏波、垂直偏波の何れであるかに関係なく、到来電波の方向を正確に探知することができ、しかも、構造がコンパクトであって、可搬使用可能であるという効果がある。
【００１５】
また、請求項２に記載の方向探知機用アンテナによれば、アンテナマウントの平面部をアンテナ立設面とし、そのアンテナ立設面上に形成した各アンテナ立設点に回動自在に立設した４本以上の伸縮型ホイップアンテナ素子を設け、４本以上の伸縮型ホイップアンテナ素子のそれぞれを、アンテナ立設面の各アンテナ立設点を中心とした球面領域におけるアンテナ立設面側に形成された半球領域の中の任意の角度位置に回動設定できるような構造にしているので、到来電波の周波数、偏波状態に応じて３本以上の伸縮型ホイップアンテナ素子の傾斜角度及び／またはその長さを任意に可変することにより、到来電波の周波数及び到来電波の偏波面に最適な条件をより自由に選択することが可能になり、それによって超短波帯及び極超短波帯の到来電波に対し、到来電波が水平偏波、垂直偏波の何れであるかに関係なく、到来電波の方向を正確に探知することができ、しかも、構造がコンパクトであって、可搬使用可能であるという効果がある。
【００１６】
さらに、請求項３に記載の方向探知機用アンテナによれば、アンテナマウントの側面部をアンテナ立設面とし、アンテナ立設面上に形成したアンテナ立設点に回動自在に立設した複数本の伸縮型ホイップアンテナ素子を設け、複数本の伸縮型ホイップアンテナ素子を、アンテナ立設面の各アンテナ立設点を中心としたアンテナ立設面側に形成された各アンテナ立設点を結ぶ直線と直交する開角度１８０°の扇形領域の中の任意の角度位置に回動設定できるような構造にしているので、到来電波の周波数、偏波状態に応じて複数本の伸縮型ホイップアンテナ素子のそれぞれの傾斜角度及び／またはその長さを任意に可変することにより、到来電波の周波数及び到来電波の偏波面に最適な条件を選択することが可能になり、それによって超短波帯及び極超短波帯の到来電波に対し、到来電波が水平偏波、垂直偏波の何れであるかに関係なく、到来電波の方向を正確に探知することができ、しかも、構造がコンパクトであって、可搬使用可能であるという効果がある。
【００１７】
また、請求項４に記載の方向探知機用アンテナによれば、アンテナマウントの側面部をアンテナ立設面とし、アンテナ立設面上に形成したアンテナ立設点に回動自在に立設した複数本の伸縮型ホイップアンテナ素子を設け、複数本の伸縮型ホイップアンテナ素子を、アンテナ立設面の各アンテナ立設点を中心とした球面領域におけるアンテナ立設面側に形成された半球領域の中の任意の角度位置に回動設定できるような構造にしているので、到来電波の周波数、偏波状態に応じて複数本の伸縮型ホイップアンテナ素子のそれぞれの傾斜角度及び／またはその長さを任意に可変することにより、到来電波の周波数及び到来電波の偏波面に最適な条件をより自由に選択することが可能になり、それによって超短波帯及び極超短波帯の到来電波に対し、到来電波が水平偏波、垂直偏波の何れであるかに関係なく、到来電波の方向を正確に探知することができ、しかも、構造がコンパクトであって、可搬使用可能であるという効果がある。
【発明を実施するための最良の形態】
【００１８】
以下、本発明による方向探知機用アンテナの実施の形態を図面を参照して説明する。
【００１９】
図１（ａ）、（ｂ）は、本発明に係わる方向探知機用アンテナの第１の実施の形態を示すもので、その要部構成を示す斜視図であって、（ａ）は４本の伸縮型ホイップアンテナ素子を、それらの長さとそれらの傾斜角度とを到来電波に対してそれぞれ最適状態に調整したときの状態を示すものであり、（ｂ）は４本の伸縮型ホイップアンテナ素子を、それぞれ最短の長さと直立した傾斜角度に調整したときの状態を示すものである。
【００２０】
図１（ａ）、（ｂ）に示すように、第１の実施の形態に係わる方向探知機用アンテナは、円板状であって、その一方の主面に平面部１ａが形成されているアンテナマウント１と、平面部１ａ上に配置され、滑り軸受が形成されている４個のアンテナ保持部２ａ、２ｂ、２ｃ、２ｄと、それぞれアンテナ保持部２ａ、２ｂ、２ｃ、２ｄに保持され、平面部１ａ上に回動自在に立設された４本の伸縮型ホイップアンテナ素子３ａ、３ｂ、３ｃ、３ｄとからなっている。この場合、４個のアンテナ保持部２ａ、２ｂ、２ｃ、２ｄは、平面部１ａ上に形成した１つの円周上に等間隔に配置されており、４個のアンテナ保持部２ａ、２ｂ、２ｃ、２ｄによる４本の伸縮型ホイップアンテナ素子３ａ、３ｂ、３ｃ、３ｄの回動可能範囲は、４本の伸縮型ホイップアンテナ素子３ａ、３ｂ、３ｃ、３ｄのアンテナ立設点である４個のアンテナ保持部２ａ、２ｂ、２ｃ、２ｄを中心とし、アンテナ立設面側に形成された前記１つの円周の半径方向、すなわち前記１つの円周の直交方向に形成される開角度１８０°の扇形領域の中であって、その扇形領域の中の任意の角度位置に回動設定できるものである。
【００２１】
前記構成を有する方向探知機用アンテナにおいて、到来電波の周波数が４本の伸縮型ホイップアンテナ素子３ａ、３ｂ、３ｃ、３ｄの対応可能最高周波数に近く、しかも、到来電波の偏波状態が垂直偏波である場合は、図１（ｂ）に図示されるように、４本の伸縮型ホイップアンテナ素子３ａ、３ｂ、３ｃ、３ｄのそれぞれの長さを最短の長さ、すなわち最高周波数の１／４波長に近い長さになるように縮めた状態にし、４本の伸縮型ホイップアンテナ素子３ａ、３ｂ、３ｃ、３ｄをそれぞれ平面部１ａに対して垂直状態になるように設定すれば、高いアンテナ効率で当該到来電波を良好な状態で受信することが可能である。
【００２２】
これに対して、到来電波の周波数が４本の伸縮型ホイップアンテナ素子３ａ、３ｂ、３ｃ、３ｄの対応可能最低周波数に近く、しかも、到来電波の偏波状態が水平偏波である場合は、４本の伸縮型ホイップアンテナ素子３ａ、３ｂ、３ｃ、３ｄのそれぞれの長さを最長の長さ、すなわち最低周波数の１／４波長に近い長さになるように伸ばした状態にし、４本の伸縮型ホイップアンテナ素子３ａ、３ｂ、３ｃ、３ｄを平面部１ａに対してそれぞれ水平に近い状態になるように設定すれば、高いアンテナ効率により当該到来電波を良好な状態で受信することが可能である。
【００２３】
また、到来電波の周波数が４本の伸縮型ホイップアンテナ素子３ａ、３ｂ、３ｃ、３ｄの対応可能周波数帯の中間の周波数である場合は、図１（ａ）にその一例を図示するように、４本の伸縮型ホイップアンテナ素子３ａ、３ｂ、３ｃ、３ｄのそれぞれの長さを中間の長さ、すなわち中間の周波数の１／４波長に近い長さになるように設定し、そのときの到来電波の偏波状態として垂直偏波が優勢であれば、４本の伸縮型ホイップアンテナ素子３ａ、３ｂ、３ｃ、３ｄをそれぞれ平面部１ａに対して垂直状態に近い状態になるように設定し、一方、そのときの到来電波の偏波状態として水平偏波の方が優勢であれば、４本の伸縮型ホイップアンテナ素子３ａ、３ｂ、３ｃ、３ｄをそれぞれ平面部１ａに対して水平状態に近い状態になるように設定すれば、高いアンテナ効率により当該到来電波を良好な状態で受信することが可能である。
【００２４】
この場合、４本の伸縮型ホイップアンテナ素子３ａ、３ｂ、３ｃ、３ｄの長さは全て同じ長さに設定する必要はなく、また、４本の伸縮型ホイップアンテナ素子３ａ、３ｂ、３ｃ、３ｄの傾斜角度も全て同じ傾斜角度にする必要はない。すなわち、伸縮型ホイップアンテナ素子３ａ、３ｂ、３ｃ、３ｄ毎にその長さが異なるように設定してもよく、伸縮型ホイップアンテナ素子３ａ、３ｂ、３ｃ、３ｄ毎にその傾斜角度がその異なるように設定してもよいもので、総合的に４本の伸縮型ホイップアンテナ素子３ａ、３ｂ、３ｃ、３ｄによって高いアンテナ効率により当該到来電波を良好な状態で受信することができるものであればどのように設定してもよい。
【００２５】
また、第１の実施の形態に係わる方向探知機用アンテナの変形例として、４本の伸縮型ホイップアンテナ素子３ａ、３ｂ、３ｃ、３ｄを保持する４個のアンテナ保持部２ａ、２ｂ、２ｃ、２ｄの滑り軸受の構成を変更することにより、４本の伸縮型ホイップアンテナ素子３ａ、３ｂ、３ｃ、３ｄの回動可能範囲が拡大されるように、具体的には、アンテナ立設面の各アンテナ立設点を中心とした球面領域におけるアンテナ立設面側に形成された半球領域の中の任意の角度位置に回動設定できるようにすることができる。
【００２６】
この場合、第１の実施の形態に係わる方向探知機用アンテナとその変形例による方向探知機用アンテナとは、本質的に同じ機能を呈するものであり、その説明が重複するので、その変形例による方向探知機用アンテナの機能の説明は省略するが、その変形例による方向探知機用アンテナは、第１の実施の形態に係わる方向探知機用アンテナに比べて、４本の伸縮型ホイップアンテナ素子３ａ、３ｂ、３ｃ、３ｄの可動可能範囲が拡がるので、到来電波の偏波状態に応じて４本の伸縮型ホイップアンテナ素子３ａ、３ｂ、３ｃ、３ｄの傾斜方向及び傾斜角度をそれぞれ自由に任意に設定することができるようになる。
【００２７】
次に、図２は、本発明に係わる方向探知機用アンテナの第２の実施の形態を示すもので、その要部構成を示す斜視図であり、平面部上に６本の伸縮型ホイップアンテナ素子を立設するようにした例を示すものである。
【００２８】
図２に示すように、第２の実施の形態に係わる方向探知機用アンテナは、円板状でその一方の主面が平面部１ａを形成しているアンテナマウント１と、平面部１ａ上に配置され、滑り軸受を構成する６個のアンテナ保持部２ａ、２ｂ、２ｃ、２ｄ、２ｅ、２ｆと、それぞれアンテナ保持部２ａ、２ｂ、２ｃ、２ｄ、２ｅ、２ｆに保持され、平面部１ａ上に回動自在に立設された６本の伸縮型ホイップアンテナ素子３ａ、３ｂ、３ｃ、３ｄ、３ｅ、３ｆとからなっている。この場合も、６個のアンテナ保持部２ａ、２ｂ、２ｃ、２ｄ、２ｅ、２ｆは、平面部１ａ上に形成された１つの円周上に等間隔に配置されており、６個のアンテナ保持部２ａ、２ｂ、２ｃ、２ｄによる６本の伸縮型ホイップアンテナ素子３ａ、３ｂ、３ｃ、３ｄ、３ｅ、３ｆの回動可能範囲は、６本の伸縮型ホイップアンテナ素子３ａ、３ｂ、３ｃ、３ｄ、３ｅ、３ｆのアンテナ立設点である６個のアンテナ保持部２ａ、２ｂ、２ｃ、２ｄ、２ｅ、２ｆを中心とし、アンテナ立設面側に形成された前記１つの円周の半径方向を含んだ１８０°の円形領域の中であって、その円形領域の中の任意の角度位置に回動設定できるものであるか、または、対応する６個のアンテナ保持部２ａ、２ｂ、２ｃ、２ｄ、２ｅ、２ｆを中心とした球面領域の平面部１ａ側にある半球領域の内の任意の角度位置に回動設定できるものであるように構成されている。
【００２９】
前記構成による第２の実施の形態に係わる方向探知機用アンテナの機能は、第１の実施の形態に係わる方向探知機用アンテナの機能と大筋において同じであり、その説明が重複するので、第２の実施の形態に係わる方向探知機用アンテナの機能の説明は省略する。ただし、第２の実施の形態に係わる方向探知機用アンテナは、第１の実施の形態に係わる方向探知機用アンテナに比べて、使用している伸縮型ホイップアンテナ素子３ａ、３ｂ、３ｃ、３ｄ、３ｅ、３ｆの数が多い分、より極め細かな調整を行うことができる。
【００３０】
第１及び第２の実施の形態においては、この種の方向探知機用アンテナに使用する伸縮型ホイップアンテナ素子の数として４本の伸縮型ホイップアンテナ素子３ａ、３ｂ、３ｃ、３ｄを使用したもの及び６本の伸縮型ホイップアンテナ素子３ａ、３ｂ、３ｃ、３ｄ、３ｅ、３ｆを使用したものを例を挙げて説明したが、本発明の方向探知機用アンテナに使用される伸縮型ホイップアンテナ素子の数は、４本の伸縮型ホイップアンテナ素子及び６本の伸縮型ホイップアンテナ素子である例に限られるものでなく、それ以外の本数、例えば、８本の伸縮型ホイップアンテナ素子を用いたもの、または、１２本の伸縮型ホイップアンテナ素子を用いたもの等であってもよい。
【００３１】
なお、本発明による第１の実施の形態に係わる方向探知機用アンテナ、その変形例による方向探知機用アンテナ及び第２の実施の形態に係わる方向探知機用アンテナは、その使用形態として、図１（ａ）、（ｂ）や図２に図示されたように、アンテナマウント１の平面部１ａに対して伸縮型ホイップアンテナ素子３ａ、３ｂ、３ｃ、３ｄまたは３ａ、３ｂ、３ｃ、３ｄ、３ｅ、３ｆを上側方向に立設した状態で使用されるものだけでなく、アンテナマウント１の平面部１ａに対して伸縮型ホイップアンテナ素子３ａ、３ｂ、３ｃ、３ｄまたは３ａ、３ｂ、３ｃ、３ｄ、３ｅ、３ｆを下側方向に立設した状態で使用されるものであってもよい。
【００３２】
また、図１（ａ）、（ｂ）及び図２には図示されていないが、アンテナマウント１は、その一部にアンテナマウント保持部が設けられており、方向探知機用アンテナを使用する際に、このアンテナマウント保持部によりアンテナマウント１を固定配置するようにして方向探知機用アンテナを固定状態で使用することが好ましい。
【００３３】
次いで、図３（ａ）、（ｂ）は、本発明に係わる方向探知機用アンテナの第３の実施の形態に係るもので、その要部構成を示すものであり、４本の伸縮型ホイップアンテナ素子を用いた例を示すものである。そして、（ａ）は４本の伸縮型ホイップアンテナ素子を同じ上側方向に向け、それらの長さを比較的長く伸ばしたときの状態を表す斜視図であり、（ｂ）は４本の伸縮型ホイップアンテナ素子を同じ上側方向に向けた状態を表す上面図であって、４本の伸縮型ホイップアンテナ素子の図示を省略している。
【００３４】
また、図４（ａ）、（ｂ）、（ｃ）は、第３の実施の形態に係る方向探知機用アンテナの伸縮型ホイップアンテナ素子の変化状態を示す斜視図であって、（ａ）は４本の伸縮型ホイップアンテナ素子を同じ上側方向に向け、それらの長さを比較的長く伸ばしたときの例を、（ｂ）は４本の伸縮型ホイップアンテナ素子を若干拡げた状態にして上側方向に向け、それらの長さをかなり縮めたときの例を、（ｃ）は４本の伸縮型ホイップアンテナ素子を若干拡げた状態にして下側方向に向け、それらの長さを比較的長く伸ばしたときの例を示すものである。なお、図４（ａ）、（ｂ）、（ｃ）においては、その形状の把握が容易なように、それぞれ手前側にある１本の伸縮型ホイップアンテナ素子やアンテナ保持部の図示を省略している。
【００３５】
図３（ａ）、（ｂ）に示すように、第３の実施の形態に係わる方向探知機用アンテナは、略立方体形状のもので、ほぼ同じ面積の上面部４ａ及び下面部４ｂと、それぞれアンテナ立設面を形成し、ほぼ同じ面積の４つの側面部４ｃ、４ｄ、４ｅ、４ｆとを有するアンテナマウント４と、４つの側面部４ｃ、４ｄ、４ｅ、４ｆ上に配置され、滑り軸受が形成されている４個のアンテナ保持部５ａ、５ｂ、５ｃ、５ｄと、それぞれアンテナ保持部５ａ、５ｂ、５ｃ、５ｄに保持され、対応する側面部４ｃ、４ｄ、４ｅ、４ｆ上にそれぞれ回動自在に立設された４本の伸縮型ホイップアンテナ素子６ａ、６ｂ、６ｃ、６ｄとからなっている。
【００３６】
この場合、４個のアンテナ保持部５ａ、５ｂ、５ｃ、５ｄは、それぞれ対応する側面部４ｃ、４ｄ、４ｅ、４ｆのほぼ中心位置に配置されており、それにより４個のアンテナ保持部５ａ、５ｂ、５ｃ、５ｄは、４つの側面部４ｃ、４ｄ、４ｅ、４ｆの高さ方向の約半分の点を結ぶ１つの直線上に配置されている。そして、４本の伸縮型ホイップアンテナ素子６ａ、６ｂ、６ｃ、６ｄの回動可能範囲は、４本の伸縮型ホイップアンテナ素子６ａ、６ｂ、６ｃ、６ｄのアンテナ立設点である４個のアンテナ保持部５ａ、５ｂ、５ｃ、５ｄを中心とし、対応するアンテナ立設面側に形成された前記１つの直線の直交方向を含んだ１８０°の円形領域の中であって、その円形領域の中の任意の角度位置に回動設定できるものである。
【００３７】
また、図３（ａ）、（ｂ）には、図示されていないが、本例の方向探知機用アンテナにおいても、アンテナマウント４には、その一部にアンテナマウント保持部が設けられており、この方向探知機用アンテナを使用する際に、このアンテナマウント保持部によりアンテナマウント４を固定配置するようにして方向探知機用アンテナを固定状態で使用することが好ましい。
【００３８】
本例の方向探知機用アンテナは、到来電波の周波数が４本の伸縮型ホイップアンテナ素子６ａ、６ｂ、６ｃ、６ｄの対応可能最低周波数に近く、しかも、到来電波の偏波状態として垂直偏波が優勢である場合は、図４（ａ）に図示されるように、４本の伸縮型ホイップアンテナ素子６ａ、６ｂ、６ｃ、６ｄのそれぞれの長さを最長に近い長さ、すなわち最低周波数の１／４波長に近接した長さになるように伸ばした状態にし、４本の伸縮型ホイップアンテナ素子６ａ、６ｂ、６ｃ、６ｄのそれぞれをアンテナマウント４に対してそれぞれ上側方向を向くように設定すれば、高いアンテナ効率により当該到来電波を良好な状態で受信することが可能である。
【００３９】
また、到来電波の入射角が水平面に対して若干上方向であり、到来電波の周波数が４本の伸縮型ホイップアンテナ素子６ａ、６ｂ、６ｃ、６ｄの対応可能最高周波数に近く、しかも、到来電波の偏波状態として垂直偏波が優勢である場合は、図４（ｂ）に図示されるように、４本の伸縮型ホイップアンテナ素子６ａ、６ｂ、６ｃ、６ｄのそれぞれの長さを最短に近い長さ、すなわち最高周波数の１／４波長に近接した長さになるように縮めた状態にし、４本の伸縮型ホイップアンテナ素子６ａ、６ｂ、６ｃ、６ｄ間の傾斜角度を互いに若干拡げた状態にして上側方向に向くように設定すれば、高いアンテナ効率で当該到来電波を良好な状態で受信することが可能である。
【００４０】
さらに、到来電波の入射角が水平面に対して若干下方向であり、到来電波の周波数が４本の伸縮型ホイップアンテナ素子６ａ、６ｂ、６ｃ、６ｄの対応可能最低周波数に近く、しかも、到来電波の偏波状態として垂直偏波が優勢である場合は、図４（ｂ）に図示されるように、４本の伸縮型ホイップアンテナ素子６ａ、６ｂ、６ｃ、６ｄのそれぞれの長さを最長に近い長さ、すなわち最低周波数の１／４波長に近接した長さになるように伸ばした状態にし、４本の伸縮型ホイップアンテナ素子６ａ、６ｂ、６ｃ、６ｄ間の傾斜角度を若干拡げた状態にして下側方向に向くように設定すれば、高いアンテナ効率により当該到来電波を良好な状態で受信することが可能である。
【００４１】
このような設定状態のときに、到来電波の周波数が変更されれば、その変更に対応して４本の伸縮型ホイップアンテナ素子６ａ、６ｂ、６ｃ、６ｄのそれぞれの長さを伸ばしたり縮めたりすればよく、到来電波の偏波状態が変化したとすれば、その変化に対して４本の伸縮型ホイップアンテナ素子６ａ、６ｂ、６ｃ、６ｄのそれぞれを水平面に対して垂直に近い状態にしたり、水平に近い状態またはそれらの中間の状態にすれば、同じように高いアンテナ効率により当該到来電波を良好な状態で受信することが可能である。
【００４２】
本例においても、４本の伸縮型ホイップアンテナ素子６ａ、６ｂ、６ｃ、６ｄの長さは全て同じ長さに伸縮設定する必要はなく、また、４本の伸縮型ホイップアンテナ素子６ａ、６ｂ、６ｃ、６ｄの傾斜角度も同じような傾斜角度に設定する必要はない。すなわち、伸縮型ホイップアンテナ素子６ａ、６ｂ、６ｃ、６ｄ毎にその長さが異なるように設定してもよく、伸縮型ホイップアンテナ素子６ａ、６ｂ、６ｃ、６ｄ毎にその傾斜角度が異なるように設定してもよいもので、総合的に４本の伸縮型ホイップアンテナ素子６ａ、６ｂ、６ｃ、６ｄによって高いアンテナ効率により当該到来電波を良好な状態で受信することができるものであればどのように設定してもよい。
【００４３】
また、第３の実施の形態に係わる方向探知機用アンテナの変形例として、４本の伸縮型ホイップアンテナ素子６ａ、６ｂ、６ｃ、６ｄを保持する４個のアンテナ保持部５ａ、５ｂ、５ｃ、５ｄの滑り軸受の構成を変更することにより、４本の伸縮型ホイップアンテナ素子６ａ、６ｂ、６ｃ、６ｄの回動可能範囲が拡大されるように、具体的には、それぞれのアンテナ立設面のアンテナ立設点を中心とした球面領域における対応するアンテナ立設面側に形成された半球領域の中の任意の角度位置に回動設定できるようにすることができる。
【００４４】
この場合、第３の実施の形態に係わる方向探知機用アンテナとその変形例による方向探知機用アンテナとは、本質的に同じ機能を呈するものであり、その説明が重複するのを避けるため、変形例が保持する方向探知機用アンテナの機能の説明は省略するが、変形例による方向探知機用アンテナは、第３の実施の形態に係わる方向探知機用アンテナに比べて、４本の伸縮型ホイップアンテナ素子６ａ、６ｂ、６ｃ、６ｄの可動可能範囲が拡がるので、到来電波の偏波状態に応じて４本の伸縮型ホイップアンテナ素子６ａ、６ｂ、６ｃ、６ｄの傾斜方向及び傾斜角度をそれぞれ自由に任意に設定することができるようになる。
【００４５】
また、第３の実施の形態及びその変形例による方向探知機用アンテナは、アンテナマウント４として略立方体形状のものを用い、４本の伸縮型ホイップアンテナ素子６ａ、６ｂ、６ｃ、６ｄを立設した例について説明したが、本発明による方向探知機用アンテナは、この種のアンテナマウント４として略立方体形状のものに限られるものでなく、しかも、アンテナマウント４の形状に対応して立設するアンテナ素子の数も４本に限られるものではない。
【００４６】
ここで、図５（ａ）、（ｂ）は、アンテナマウントとして略立方体形状以外の形状のものを用いた例を示すもので、（ａ）は上面部及び下面部が円形である円筒形状のものであって、４本の伸縮型ホイップアンテナ素子を立設している例であり、（ｂ）は上面部及び下面部が正８角形である多角柱形状のものであって、８本の伸縮型ホイップアンテナ素子を立設している例である。なお、図５（ａ）、（ｂ）においては、その形状の状態の把握が容易なように、アンテナ保持部だけを図示し、伸縮型ホイップアンテナ素子の図示を省略している。
【００４７】
図５（ａ）に示される例は、略円筒形状のもので、ほぼ同面積の円形の上面部７ａ及び下面部７ｂと、アンテナ立設面を形成し、円筒状の側面部７ｃとを有するアンテナマウント７と、側面部７ｃ上に等間隔に配置され、滑り軸受が形成されている４個のアンテナ保持部８ａ、８ｂ、８ｃ、８ｄと、それぞれアンテナ保持部８ａ、８ｂ、８ｃ、８ｄに保持され、側面部７ｃ上にそれぞれ回動自在に立設された４本の伸縮型ホイップアンテナ素子（図示なし）とからなっている。この場合、４個のアンテナ保持部８ａ、８ｂ、８ｃ、８ｄは、側面部７ｃの高さの約半分の位置を結ぶ直線上に配置されている。
【００４８】
また、図５（ｂ）に示される例は、８角柱（多角柱）形状のもので、ほぼ同面積の正８角形の上面部９ａ及び下面部９ｂと、８つの長方形状の側面部９ｃ、９ｄ、・・・・、９ｌを有するアンテナマウント９と、各側面部９ｃ、９ｄ、・・・・、９ｊの略中心位置に配置され、滑り軸受が形成されている８個のアンテナ保持部１０ａ、１０ｂ、・・・・、１０ｈと、それぞれアンテナ保持部１０ａ、１０ｂ、・・・・、１０ｈに保持され、対応する側面部９ｃ、９ｄ、・・・・、９ｊ上にそれぞれ回動自在に立設された８本の伸縮型ホイップアンテナ素子（図示なし）とからなっている。
【００４９】
そして、図５（ａ）、（ｂ）に示される例においても、それぞれの伸縮型ホイップアンテナ素子の可動範囲は、第３の実施の形態に係わる方向探知機用アンテナにおける伸縮型ホイップアンテナ素子の可動範囲と同じか、または、その変形例における伸縮型ホイップアンテナ素子の可動範囲と同じに設定されており、図５（ａ）に示される例の機能は、第３の実施の形態に係わる方向探知機用アンテナの機能と殆ど同じであり、また、図５（ｂ）に示される例の機能は、第３の実施の形態に係わる方向探知機用アンテナの変形例による方向探知機用アンテナの機能は、第３の実施の形態に係わる方向探知機用アンテナの変形例の機能と殆ど同じである。そして、図５（ａ）、（ｂ）に示される例においえも、使用している伸縮型ホイップアンテナ素子の本数が多いものほど、極め細かな調整を行うことができる。
【図面の簡単な説明】
【００５０】
【図１】本発明に係わる方向探知機用アンテナの第１の実施の形態を示すもので、その要部構成を示す斜視図である。
【図２】本発明に係わる方向探知機用アンテナの第２の実施の形態を示すもので、その要部構成を示す斜視図である。
【図３】本発明に係わる方向探知機用アンテナの第３の実施の形態を示すもので、その要部構成を示す斜視図及び上面図である。
【図４】図３に図示された方向探知機用アンテナの伸縮型ホイップアンテナ素子の変化状態を示す斜視図である。
【図５】本発明による方向探知機用アンテナに用いられるアンテナマウントの他の形状の例を示す上面図である。
【符号の説明】
【００５１】
１、４、７、９  アンテナマウント
１ａ  平面部
２ａ、２ｂ、２ｃ、２ｄ、２ｅ、２ｆ  アンテナ保持部
３ａ、３ｂ、３ｃ、３ｄ、３ｅ、３ｆ  伸縮型ホイップアンテナ素子
４ａ、７ａ、９ａ  上面部
４ｂ、７ｂ、９ｃ  下面部
５ａ、５ｂ、５ｃ、５ｄ、８ａ、８ｂ、８ｃ、８ｄ、１０ａ、１０ｂ、１０ｃ、１０ｄ、１０ｅ、１０ｆ、１０ｇ、１０ｈ  アンテナ保持部
６ａ、６ｂ、６ｃ、６ｄ  伸縮型ホイップアンテナ素子
【図１】
2007135063.tif 000003
【図２】
2007135063.tif 000004
【図３】
2007135063.tif 000005
【図４】
2007135063.tif 000006
【図５】
2007135063.tif 000007